(57)【要約】【課題】主に、脱型時における表皮材の製品外観面部の伸びなどを防止し得るようにする。【解決手段】金型３１，３２を用いて成形される軟質の表皮材１５が、少なくとも、主に製品の外観部分を構成可能な製品外観面部１９と、製品外観面部１９の内側に設けられる開口部２を構成可能な開口予定部２３とを有する表皮材構造であって、開口予定部２３の裏面側に、表皮材１５の少なくとも部分的な脱型を補助可能な脱型補助部３５を一体に設けるようにしている。【選択図】図１
2009298294.tif 000002
【特許請求の範囲】
【請求項１】
金型を用いて成形される軟質の表皮材が、少なくとも、主に製品の外観部分を構成可能な製品外観面部と、製品外観面部の内側に設けられる開口部を構成可能な開口予定部とを有する表皮材構造において、
前記開口予定部の裏面側に、表皮材の少なくとも部分的な脱型を補助可能な脱型補助部を一体に設けたことを特徴とする表皮材構造。
【請求項２】
前記開口予定部が、開口部の内側面を構成可能な内側面部分と、少なくともその一部が除去されることによって開口部を貫通形成可能な底面部分とを有する開口用凹部とされ、
前記脱型補助部が、前記内側面部分または底面部分の裏面側に対して引張可能に設けられた引張片部であることを特徴とする請求項１記載の表皮材構造。
【請求項３】
前記開口予定部が、前記内側面部分に、凹凸形状部を有し、
前記引張片部が、前記内側面部分または底面部分の、凹凸形状部よりも奥側に設けられたことを特徴とする請求項２記載の表皮材構造。
【請求項４】
前記引張片部が、前記底面部分に対して、前記底面部分と共に除去可能に設けられたことを特徴とする請求項３記載の表皮材構造。
【請求項５】
前記引張片部が、表皮材の裏面を成形する金型の型開動作に同伴されて型開方向へ引張られることにより、自動的に脱型補助が可能な金型同伴可能片部とされたことを特徴とする請求項１ないし４のいずれか１項に記載の表皮材構造。
【発明の詳細な説明】
【技術分野】
【０００１】
この発明は、表皮材構造に関するものである。
【背景技術】
【０００２】
自動車などの車両には、車室内の前部に、図６に示すような、樹脂製のインストルメントパネル１（車室前部内装パネル）が設けられている。
【０００３】
このインストルメントパネル１には、各種の開口部２が形成されている。このような開口部２の中には、空調用の空気を吹出可能な空気吹出口３などが存在している。このような空気吹出口３には、図７に示すように、空調用グリルなどの空気吹出口部材４が取付けられている（例えば、特許文献１参照）。
【０００４】
なお、図６では、空気吹出口３は、インストルメントパネル１の車幅方向５の両端部と中央部とに対して設けられている。特に、両端部の空気吹出口３は、各辺が上下方向および車幅方向５へ向いた角穴などとされている。なお、空気吹出口３には、丸穴とされたものなども存在している。これに対し、図７の空気吹出口部材４は、空気吹出口３と対応する断面形状を有すると共に一廻り小さく形成された筒状の空気吹出口部材本体６と、この空気吹出口部材本体６の手前側の外周部に形成されて、空気吹出口部材４に嵌着可能なフランジ部７とを有している。なお、空気吹出口部材本体６とフランジ部７とは、一体の物とすることも、別体の物とすることもできる。
【０００５】
空気吹出口部材本体６の側面（上側面や下側面など）には、空気吹出口部材４をインストルメントパネル１の内面などに係止固定するための係止用爪部８などが設けられている。フランジ部７は、空気吹出口部材４の表面意匠を構成するものなどとされると共に、その内部には風向調節装置としてのルーバ羽根９（縦ルーバや横ルーバなど）が設けられている。
【０００６】
そして、このような空気吹出口部材４は、図８に示すように、その表面（フランジ部７の表面）が、インストルメントパネル１の表面とほぼ面一となるように取付けられる。そのために、インストルメントパネル１の空気吹出口３と、空気吹出口部材４との間には、表面合わせ部１１（浮上がり防止部）が設けられる。この場合、表面合わせ部１１は、例えば、開口部２の内側面部分２０に設けられた小凹部１２と、この小凹部１２に対応させて空気吹出口部材４の外側面に設けられた小凸部１３とを備えている。小凸部１３は、空気吹出口部材４のフランジ部７の側面に設けられている。
【０００７】
一方、上記した樹脂製のインストルメントパネル１には、表皮材１５と芯材１６との間に発泡層１７を備えた三層構造のものが存在している。
【０００８】
このように、インストルメントパネル１を三層構造とすることにより、表皮材１５の持つ柔らかい手触りと、発泡層１７の持つ弾力性とによって、高い品質感を得ることができる。なお、表皮材１５は軟質樹脂などによって形成され、芯材１６は硬質樹脂などによって形成されている。また、発泡層１７は、ウレタン材などで構成されている。表皮材１５、芯材１６、発泡層１７は、それぞれの機能を果たすのに必要な肉厚を有して形成されていると共に、通常の部分などについては、それぞれ、ほぼ一定の肉厚などとされている。
【０００９】
そして、上記した軟質の表皮材１５は、図９に示すような、金型２１を用いて成形されている。この金型２１は、表皮材１５の表面形状と対応する成形面を有する単独型などとされている。この金型２１は、例えば、パウダースラッシュ成形装置や、真空引成形装置や、スプレースキン成形装置のものなどとされている。この場合、表皮材１５は、作業員の手作業によって金型２１から脱型され（引剥がされ）ている（図９の引剥がし方向２２参照）。
【００１０】
金型２１を用いて成形される軟質の表皮材１５は、少なくとも、主に製品（インストルメントパネル１）の表面部分を構成可能な製品部と、この製品部の周縁部に対して除去（切除）可能に設けられた端末部とを有するものとされる。なお、製品部と端末部とは、図面上、特に明確に区別されていない。
【００１１】
また、製品部は、少なくとも、主に製品の外観部分を構成可能な製品外観面部１９と、製品外観面部１９の内側に設けられる開口部２を構成可能な開口予定部２３とを有している。
【００１２】
そして、上記した空気吹出口３などの開口部２となる開口予定部２３は、図１０、図１１に示すように、空気吹出口部材４のフランジ部７の厚み（空気吹出口部材４の長手方向の寸法）とほぼ等しいか、それよりも若干大きい深さを有する開口用凹部として形成されると共に、開口用凹部の底面部分２４を脱型時や脱型後などに、切断予定線２５に沿って切除（除去）することによって、空気吹出口３などの開口部２が開成されるようにしている。この切断予定線２５は、上記した空気吹出口部材本体６を通し得る形状および大きさを有するものとされる。
【００１３】
なお、表面合わせ部１１の小凹部１２は、（軟質の表皮材１５の）開口用凹部の内側面部分２０に設けられることにより、金型２１からの脱型時に金型２１と干渉するアンダーカット部となる。
【００１４】
そして、上記した三層構造のインストルメントパネル１は、図示しない発泡成形型に、予め形成された表皮材１５と芯材１６とをセットすると共に、表皮材１５と芯材１６との間に薬液状の発泡剤を注入して発泡させ、発泡層１７とすることによって、製造されている。
【００１５】
このような構成によれば、開口部２（空気吹出口３）に空気吹出口部材４を挿入配置して、空気吹出口部材本体６の側面（上側面や下側面など）に設けられた係止用爪部８を、インストルメントパネル１の内面部分などに設けられた被係止部に係止させることなどにより、空気吹出口部材４がインストルメントパネル１の開口部２に固定される。
【００１６】
この時、小凹部１２に小凸部１３を嵌合係止させることにより、表面合わせ部１１による表面合わせが行われて、インストルメントパネル１の表面に対し、空気吹出口部材４の表面が面一に保持される。
【００１７】
なお、小凹部１２と小凸部１３とは、表皮材１５の柔軟性と発泡層１７の弾力性とを利用して、嵌合係止されることになる。
【特許文献１】特開２００２−１７２９５６号
【発明の開示】
【発明が解決しようとする課題】
【００１８】
しかしながら、上記表皮材構造では、以下のような問題があった。
【００１９】
即ち、開口予定部２３の内側面部分２０に設けられた小凹部１２は、表皮材１５にとって、金型２１からの脱型時に金型２１と干渉するアンダーカット部となる。
【００２０】
そのため、作業員が手作業で、表皮材１５の端末部を直接引張って金型２１から脱型させる際に、小凹部１２が金型２１（の小凹部１２を成形する小凸部）に引掛かることとなり、この引掛かりによって、表皮材１５の開口予定部２３周辺の製品外観面部１９に、図９に示すような、小凹部１２を起点とする伸び２７が生じて、表皮材１５（製品外観面部１９）の外観品質が低下したり、表皮材１５に引裂きが生じるなどの不具合を起こすおそれがあった。また、このような脱型による不具合の発生を回避するために、脱型を慎重に行う必要が生じるので、生産性が良くなかった。
【００２１】
なお、上記した以外にも、本発明に至る過程で新たな問題やその他の問題などが発生することも考えられるが、そのようなものについては、本発明の実施例の中で説明することによって、この欄での記載に代えることができるものとする。但し、必要な場合には、この欄に流用することができる。
【課題を解決するための手段】
【００２２】
上記課題を解決するために、請求項１に記載された発明は、金型を用いて成形される軟質の表皮材が、少なくとも、主に製品の外観部分を構成可能な製品外観面部と、製品外観面部の内側に設けられる開口部を構成可能な開口予定部とを有する表皮材構造において、前記開口予定部の裏面側に、表皮材の少なくとも部分的な脱型を補助可能な脱型補助部を一体に設けたことを特徴としている。
【００２３】
請求項２に記載された発明は、上記において、前記開口予定部が、開口部の内側面を構成可能な内側面部分と、少なくともその一部が除去されることによって開口部を貫通形成可能な底面部分とを有する開口用凹部とされ、前記脱型補助部が、前記内側面部分または底面部分の裏面側に対して引張可能に設けられた引張片部であることを特徴としている。
【００２４】
請求項３に記載された発明は、上記において、前記開口予定部が、前記内側面部分に、凹凸形状部を有し、前記引張片部が、前記内側面部分または底面部分の、凹凸形状部よりも奥側に設けられたことを特徴としている。
【００２５】
請求項４に記載された発明は、上記において、前記引張片部が、前記底面部分に対して、前記底面部分と共に除去可能に設けられたことを特徴としている。
【００２６】
請求項５に記載された発明は、上記において、前記引張片部が、表皮材の裏面を成形する金型の型開動作に同伴されて型開方向へ引張られることにより、自動的に脱型補助が可能な金型同伴可能片部とされたことを特徴としている。
【００２７】
なお、上記は、それぞれ、所要の作用効果を発揮するための必要最小限の構成であり、上記構成の詳細や、上記されていない構成については、それぞれ自由度を有しているのは勿論である。そして、上記構成の記載から読取ることが可能な事項については、特に具体的に記載されていない場合であっても、その範囲内に含まれるのは勿論である。また、上記以外の構成を追加した場合には、追加した構成による作用効果が加わることになるのは勿論である。
【発明の効果】
【００２８】
請求項１の発明によれば、上記構成によって、以下のような作用効果を得ることができる。即ち、軟質の表皮材は、金型を用いて成形され、その後に、金型から脱型されて、製品に使用される。表皮材の金型からの脱型の際には、開口予定部の裏面側に一体に設けた脱型補助部によって、表皮材の全体または表皮材の少なくとも一部（開口予定部の周辺）に対する、脱型を補助させることができる。これにより、脱型補助部を設けない場合と比べて、表皮材の脱型が容易になると共に、例えば、これまでのように、製品外観面部やその周辺などを直接引張って表皮材を脱型させる場合などと比べて、脱型時における表皮材の製品外観面部の伸びや、製品外観面部の伸びによる、表皮材の外観品質の低下、または、表皮材の引裂きなどの不具合がなくなり、以て、表皮材に対する、品質の向上や生産性の向上などを図ることが可能となる。
【００２９】
請求項２の発明によれば、上記構成によって、以下のような作用効果を得ることができる。即ち、脱型補助部を引張片部として、引張片部で開口用凹部の内側面部分または底面部分の裏面側を引張ることにより、脱型によって発生する表皮材の伸びを、開口用凹部の周辺部分にほぼ限定して、製品外観面部に伸びの影響が及び難いようにすることができる。よって、上記請求項１の作用効果を、より確実なものとすることができる。
【００３０】
請求項３の発明によれば、上記構成によって、以下のような作用効果を得ることができる。即ち、開口予定部の内側面部分に設けられた凹凸形状部は、脱型時に金型と干渉するアンダーカット部となるため、脱型時には、アンダーカット部である凹凸形状部が、表皮材の伸びの起点になる。これに対し、引張片部を、内側面部分または底面部分の、凹凸形状部よりも奥側に設けることによって、引張片部を引張った時に、表皮材が、凹凸形状部を起点として開口予定部の奥側へ伸びることとなるので、ほぼ確実に、伸びが凹凸形状部よりも製品外観面部の側へは及ばないようにすることができる。これにより、表皮材の凹凸形状部の周囲を最適に脱型することができて、上記請求項１の作用効果を、より一層確実なものとすることができる。
【００３１】
請求項４の発明によれば、上記構成によって、以下のような作用効果を得ることができる。即ち、引張片部が、底面部分に設けられたことにより、内側面部分が直接引張られないようにすることができるので、内側面部分の伸び過ぎや引裂きなどの不具合を防止して、凹凸形状部の周辺をより最適な状態で脱型させることができる。また、引張片部は、脱型補助の役割終了後に、そのまま残されるようにしても良いが、底面部分と共に、引張片部を除去させるようにすることにより、既に役割を終了した引張片部が、その後に、周辺構造にとって邪魔にならないようにすることができる。
【００３２】
請求項５の発明によれば、上記構成によって、以下のような作用効果を得ることができる。即ち、引張片部は、表皮材の裏面を成形する金型によって、表皮材の裏面側に一体に形成される。そして、引張片部による引張り（脱型補助）は、型開後に手作業などによって行うこともできるが、引張片部を金型同伴可能片部として、金型同伴可能片部が、表皮材の裏面を成形する金型の型開動作に同伴されて型開方向へ引張られるようにすることにより、自動的に脱型補助を行わせることができる。これによって、引張片部を手作業で引張って脱型補助させる手間を削減することが可能となる。なお、表皮材全体の脱型については、型開後に手作業などによって行うようにすることもできるし、表皮材の裏面を成形する金型の型開動作に同伴させて行わせるようにすることもできる。
【発明を実施するための最良の形態】
【００３３】
本発明は、主に、脱型時における表皮材の製品外観面部の伸びなどを防止し得るようにすることを目的としている。
【００３４】
以下、本発明を具体化した実施例について、図示例と共に説明する。
【００３５】
なお、以下の実施例は、上記した背景技術や発明が解決しようとする課題などと密接な関係があるので、必要が生じた場合には、互いに、記載を流用したり、必要な修正を伴って流用したりすることができるものとする。
【実施例】
【００３６】
図１〜図５は、この発明の実施例およびその変形例を示すものである。
【００３７】
なお、全体的な構成については、図６〜図８を用いて説明したものと基本的にほぼ同様なので、必要に応じてこれらの図面を参照すると共に、これらに対する記載を以てこの実施例の説明とすることができる。この際、同一ないし均等な部分については、同一の符号を付すようにしている。但し、構成の異なる部分については、図１〜図５に拠るものとする。
【００３８】
＜構成＞まず、構成について説明する。
【００３９】
自動車などの車両には、車室内の前部に、図６に示すような、樹脂製のインストルメントパネル１（車室前部内装パネル）が設けられている。
【００４０】
このインストルメントパネル１には、各種の開口部２が形成されている。このような開口部２の中には、空調用の空気を吹出可能な空気吹出口３などが存在している。このような空気吹出口３には、図７に示すように、空調用グリルなどの空気吹出口部材４が取付けられている、この場合には、空気吹出口部材４は、樹脂製のベンチレータグリルとなっている。
【００４１】
なお、図６では、空気吹出口３は、インストルメントパネル１の車幅方向５の両端部と中央部とに対して設けられている。特に、両端部の空気吹出口３は、各辺が上下方向および車幅方向５へ向いた角穴などとされている。なお、空気吹出口３には、丸穴とされたものなども存在している。これに対し、図７の空気吹出口部材４は、空気吹出口３と対応する断面形状を有すると共に一廻り小さく形成された筒状の空気吹出口部材本体６と、この空気吹出口部材本体６の手前側の外周部に形成されて、空気吹出口部材４に嵌着可能なフランジ部７とを有している。なお、空気吹出口部材本体６とフランジ部７とは、一体の物とすることも、別体の物とすることもできる。また、以下は、開口部２が角穴の場合について説明するが、開口部２が丸穴の場合にも、必要な場合には、必要な改変を伴って適用させることができるものとする。
【００４２】
空気吹出口部材本体６の側面（上側面や下側面など）には、空気吹出口部材４をインストルメントパネル１の内面などに係止固定するための係止用爪部８などが設けられている。この場合、係止用爪部８は、金属爪などとされている。フランジ部７は、空気吹出口部材４の表面意匠を構成するものなどとされると共に、その内部には風向調節装置としてのルーバ羽根９（縦ルーバや横ルーバなど）が設けられている。
【００４３】
そして、このような空気吹出口部材４は、図８に示すように、その表面（フランジ部７の表面）が、インストルメントパネル１の表面とほぼ面一となるように取付けられる。そのために、インストルメントパネル１の空気吹出口３と、空気吹出口部材４との間には、表面合わせ部１１（浮上がり防止部）が設けられる。
【００４４】
一方、上記した樹脂製のインストルメントパネル１には、表皮材１５と芯材１６との間に発泡層１７を備えた三層構造のものが存在している。
【００４５】
このように、インストルメントパネル１を三層構造とすることにより、表皮材１５の持つ柔らかい手触りと、発泡層１７の持つ弾力性とによって、高い品質感を得ることができる。なお、表皮材１５は軟質樹脂などによって形成され、芯材１６は硬質樹脂などによって形成されている。また、発泡層１７は、ウレタン材などで構成されている。表皮材１５、芯材１６、発泡層１７は、それぞれの機能を果たすのに必要な肉厚を有して形成されていると共に、通常の部分（例えば、大きな形状変化などを伴わない部分）などについては、それぞれ、ほぼ一定の肉厚などとされている。
【００４６】
なお、以上の構成は、上記した従来例のものとほぼ同様である。
【００４７】
そして、以下は、上記した従来例のものとは若干異なる構成となっている（以下、図１〜図５を併せて参照のこと）。
【００４８】
この場合、表面合わせ部１１は、凹凸形状部２６などとされている。この凹凸形状部２６は、例えば、開口部２の内側面部分２０と空気吹出口部材４（フランジ部７）の外側面との、一方に設けられた小凹部１２（合わせ穴部）と、この小凹部１２と対応させて他方に設けられた小凸部１３（合わせ爪部）とを備えている。
【００４９】
例えば、図１、図４では、開口部２の内側面部分２０に、小凹部１２が設けられている。よって、小凸部１３は、フランジ部７の側に設けられる。また、図２、図３、図５では、開口部２の内側面部分２０に、小凸部１３が設けられている。よって、小凹部１２は、フランジ部７の側に設けられる。
【００５０】
この場合、小凹部１２および小凸部１３は、正面視ほぼ矩形状をした開口部２の内側面部分２０および空気吹出口部材４のフランジ部７における、各辺の両側のコーナー部の近傍に対して一対ずつ、合計で８個設けられている。
【００５１】
上記した軟質の表皮材１５は、図４または図５に示すような、一対の金型３１，３２を用いて成形させるようにする。この金型３１，３２の内部には、表皮材１５の形状と対応する形状の成形面が形成されている。即ち、表皮材１５の表面を成形する金型３１と、表皮材１５の裏面を成形する金型３２とを有する、組型などとされている。この金型３１，３２は、例えば、ＲＩＭ成形装置のものなどとされている（表皮成形装置）。尚、ＲＩＭ成形とは、反応性のある２種類以上の原料の液体を計量、混合し、金型内に送り込んで、反応させて成形品を製造する方法である。この場合、表皮材１５は、型開後に作業員の手作業によって金型３１，３２から脱型する（引剥がす）ようにしても良い。或いは、表皮材１５は、型開時に自動的に脱型されるようにしても良い（型開方向３３）。なお、一対の金型３１，３２を有するＲＩＭ成形装置では、型開時に表皮材１５を自動的に脱型させることが可能となる。また、組型を有するＲＩＭ成形装置では、図５に示すような単独型の場合にはできなかった、開口部２の内側面部分２０に小凸部１３を形成することが可能となる。
【００５２】
金型３１，３２を用いて成形される軟質の表皮材１５は、少なくとも、主に製品（インストルメントパネル１）の表面部分を構成可能な製品部と、この製品部の周縁部に対して除去（切除）可能に設けられた端末部とを有するものとされる。なお、製品部と端末部とは、図面上、特に明確に区別されていない。
【００５３】
また、製品部は、少なくとも、主に製品の外観部分を構成可能な製品外観面部１９と、製品外観面部１９の内側に設けられる開口部２を構成可能な開口予定部２３とを有している。
【００５４】
そして、上記した空気吹出口３などの開口部２となる開口予定部２３は、図１〜図３に示すように、空気吹出口部材４のフランジ部７の厚み（空気吹出口部材４の長手方向の寸法）とほぼ等しいか、それよりも若干大きい深さを有する開口用凹部として形成されると共に、開口用凹部の底面部分２４を脱型時や脱型後などに切断予定線２５に沿って切除（除去）することによって、空気吹出口３などの開口部２が開成されるようにしている。この切断予定線２５は、上記した空気吹出口部材本体６を通し得る形状および大きさのものとする。また、金型３１，３２の開口用凹部を成形する部分は、一方が開口用凹部に対応する凸形状とされる（この場合には金型３１）と共に、他方が開口用凹部に対応する凹形状とされている（この場合には金型３２）。
【００５５】
なお、表面合わせ部１１の小凹部１２または小凸部１３は、（軟質の表皮材１５の）開口用凹部の内側面部分２０に設けられることにより、金型３１，３２からの脱型時に金型３１，３２と干渉するアンダーカット部となる。この際、図４では、金型３１，３２の小凹部１２を成形する部分は、一方が小凹部１２に対応する凸形状とされる（この場合には金型３１）と共に、他方が小凹部１２に対応する凹形状とされている（この場合には金型３２）。また、図５では、金型３１，３２の小凸部１３を成形する部分は、一方が小凸部１３に対応する凹形状とされる（この場合には金型３１）と共に、他方は小凸部１３が中実構造となるために、平坦部とされている（この場合には金型３２）。
【００５６】
そして、上記した三層構造のインストルメントパネル１は、図示しない発泡成形型に、予め形成された表皮材１５と芯材１６とをセットすると共に、表皮材１５と芯材１６との間に薬液状の発泡剤を注入して発泡させ、発泡層１７とすることによって、製造されるものとなっている。
【００５７】
そして、以上のような構成に対し、この実施例のものでは、以下のような構成を備えている。
【００５８】
（１）開口予定部２３の裏面側に、表皮材１５の少なくとも部分的な脱型を補助可能な脱型補助部３５を一体に設けるようにする。
【００５９】
ここで、脱型補助部３５は、少なくとも一つの開口予定部２３に対して設けるようにすれば良い。この場合には、製品外観面部１９の伸びが著しいと思われる部分に位置する開口予定部２３に対して設けるようにする。このようにすることにより、脱型補助部３５は、表皮材１５の（当該開口予定部２３の周辺部分に対する）部分的な脱型を補助するようなものとなる。
【００６０】
また、表皮材１５に開口予定部２３が多数設けられている場合には、脱型補助部３５を、全てまたは大部分の開口予定部２３に対して設けるようにしても良い。この場合には、脱型補助部３５は、表皮材１５の全体的な脱型を補助するものとすることも可能である。
【００６１】
（２）上記において、開口予定部２３を、開口部２の内側面を構成可能な内側面部分２０と、少なくともその一部が除去されることによって開口部２を貫通形成可能な底面部分２４とを有する開口用凹部とする。そして、脱型補助部３５を、内側面部分２０または底面部分２４の裏面側に対して引張可能に設けられた引張片部３６とする。
【００６２】
この段階では、内側面部分２０または底面部分２４の裏面側に対して設けられる引張片部３６については、その形状や、大きさや、設置位置などは、成形が可能な範囲内であれば、どのようなものとしても良い。なお、引張片部３６を内側面部分２０に設けた場合には、引張力は、主に内側面部分２０に作用することとなり、また、引張片部３６を底面部分２４に設けた場合には、引張力は、主に底面部分２４に作用することとなる（以下、同様）。
【００６３】
（３）上記において、開口予定部２３が、内側面部分２０に、凹凸形状部２６を有している場合に、引張片部３６が、内側面部分２０または底面部分２４の、凹凸形状部２６よりも奥側に設けられるようにする。
【００６４】
この段階では、内側面部分２０または底面部分２４の、凹凸形状部２６よりも奥側に設けられる引張片部３６については、その形状や、大きさや、設置位置などは、成形が可能な範囲内であれば、どのようなものとしても良い。
【００６５】
（４）上記において、引張片部３６が、底面部分２４に対して設けられるようにする。更に、引張片部３６が、底面部分２４と共に除去可能に設けられるようにする。
【００６６】
ここで、引張片部３６は、底面部分２４の中央部に対して設けることができる。また、引張片部３６は、底面部分２４の周縁部（辺部やコーナー部など）、または、周縁部に近い位置に対して設けることができる。なお、引張片部３６を底面部分２４の中央部に設けた場合には、引張力は、主に底面部分２４に作用することとなり、また、引張片部３６を底面部分２４の周縁部などに設けた場合には、引張力は、底面部分２４と内側面部分２０とに分散して作用することとなる。よって、開口予定部２３を効率的に脱型補助させるためには、底面部分２４の周縁部などに設ける方が好ましい。
【００６７】
例えば、図１では、引張片部３６は、矩形状をした底面部分２４の各コーナー部分とほぼ対応させて４個設けられている。また、図２では、引張片部３６は、矩形状をした底面部分２４を構成する二つの対辺のうちの一方の対辺とほぼ対応させて２個設けられている。図３では、引張片部３６は、矩形状をした底面部分２４の四つの辺とほぼ対応させて１個設けられている。
【００６８】
また、底面部分２４と共に除去可能とするために、引張片部３６は、開口用凹部の底面部分２４における、切断予定線２５の内側に設けられるようにする。この場合、切断予定線２５は、空気吹出口部材本体６を通し得る形状および大きさ（矩形状）のものとされる。この場合には、矩形状の底面部分２４を構成する四つの辺の近傍に、四つの辺に沿って形成されている。切断予定線２５は、例えば、成形時に同時に形成された溝部などとされている。
【００６９】
例えば、図１では、引張片部３６は、矩形状の切断予定線２５の内側にて、矩形状の切断予定線２５を構成する二つの対辺のうちの一方の対辺の両端部近傍に設けられた、４個の突壁などとされている。また、図２では、引張片部３６は、矩形状の切断予定線２５の内側にて、矩形状の切断予定線２５を構成する二つの対辺のうちの一方の対辺に沿って設けられた、ほぼ平行な二状の側壁などとされている。図３では、引張片部３６は、矩形状の切断予定線２５の内側にて、矩形状の切断予定線２５を構成する四つの辺に沿って設けられた、周壁などとされている。上記した突壁や、側壁や、周壁は、両面に平坦な面を有すると共に、肉厚がほぼ一定のものなどとされている。
【００７０】
（５）上記において、引張片部３６が、表皮材１５の裏面を成形する金型３２の型開動作に同伴されて型開方向３３へ引張られることにより、自動的に脱型補助が可能な 金型同伴可能片部３７とする。
【００７１】
そのために、例えば、金型同伴可能片部３７を、金型３１，３２の型開方向３３へ向けて、必要な摩擦力や摩擦面積を確保可能な長さで延びるもの（型開方向延長形状部）などとする。
【００７２】
なお、図４、図５中、符号４１は、表皮材１５の開口用凹部の内側面部分２０に生じる伸びである。
【００７３】
＜作用＞次に、この実施例の作用について説明する。
【００７４】
開口部２（空気吹出口３）に空気吹出口部材４を挿入配置して、空気吹出口部材本体６の側面（上側面や下側面など）に設けられた係止用爪部８を、インストルメントパネル１の内面部分などに設けられた被係止部に係止させることなどにより、空気吹出口部材４がインストルメントパネル１の開口部２に固定される。
【００７５】
この時、小凹部１２に小凸部１３を嵌合係止させることにより、表面合わせ部１１（凹凸形状部２６）による表面合わせが行われて、インストルメントパネル１の表面に対し、空気吹出口部材４の表面が面一に保持される。
【００７６】
なお、小凹部１２と小凸部１３とは、表皮材１５の柔軟性と発泡層１７の弾力性とを利用して、嵌合係止されることになる。
【００７７】
上記した軟質の表皮材１５は、図４または図５に示すような、一対の金型３１，３２を用いて成形される。軟質の表皮材１５は、型開後に作業員の手作業によって金型３１，３２から脱型される（引剥がされる）、或いは、型開時に自動的に脱型される。
【００７８】
この際、表皮材１５の裏面側の、開口予定部２３の裏面側に設けた脱型補助部３５を引張る（または、脱型補助部３５が引張られる）ことにより、少なくとも開口予定部２３の部分的な脱型補助が行われる。或いは、表皮材１５の全体に対する脱型補助が行われる。
【００７９】
このように、脱型補助部３５を引張ることによって、表皮材１５には、開口予定部２３の凹凸形状部２６を起点とする部分的な伸び４１が生じるが、この伸び４１は、凹凸形状部２６よりも奥側の部分にほぼ限定されるので、表皮材１５の製品外観面部１９への影響を少なくすることができる。
【００８０】
そして、上記した三層構造のインストルメントパネル１は、図示しない発泡成形型に、予め形成された表皮材１５と芯材１６とをセットすると共に、表皮材１５と芯材１６との間に薬液状の発泡剤を注入して発泡させ、発泡層１７とすることによって、製造されることになる。この際、上記したような、品質の良い表皮材１５を用いることによって、より品質の良いインストルメントパネル１を製造することができる。
【００８１】
この実施例によれば、以下のような作用効果を得ることができる。
【００８２】
（１）金型３１，３２を用いて成形される軟質の表皮材１５が、少なくとも、主に製品の外観部分を構成可能な製品外観面部１９と、製品外観面部１９の内側に設けられる開口部２を構成可能な開口予定部２３とを有する表皮材構造において、開口予定部２３の裏面側に、表皮材１５の少なくとも部分的な脱型を補助可能な脱型補助部３５を一体に設けたことによって、以下のような作用効果を得ることができる。
【００８３】
即ち、軟質の表皮材１５は、金型３１，３２を用いて成形され、その後に、金型３１，３２から脱型されて、製品（この場合には、インストルメントパネル１）に使用される。表皮材１５の金型３１，３２からの脱型の際には、開口予定部２３の裏面側に一体に設けた脱型補助部３５によって、表皮材１５の全体または表皮材１５の少なくとも一部（開口予定部２３の周辺）に対する、脱型を補助させることができる。これにより、脱型補助部３５を設けない場合と比べて、表皮材１５の脱型が容易になると共に、例えば、これまでのように、製品外観面部１９やその周辺などを直接引張って表皮材１５を脱型させる場合などと比べて、脱型時における表皮材１５の製品外観面部１９の伸び（図９の符号２７参照。以下同様）や、製品外観面部１９の伸びによる、表皮材１５の外観品質の低下、または、表皮材１５の引裂きなどの不具合がなくなり、以て、表皮材１５に対する、品質の向上や生産性の向上などを図ることが可能となる。
【００８４】
（２）上記において、開口予定部２３が、開口部２の内側面を構成可能な内側面部分２０と、少なくともその一部が除去されることによって開口部２を貫通形成可能な底面部分２４とを有する開口用凹部とされ、脱型補助部３５が、内側面部分２０または底面部分２４の裏面側に対して引張可能に設けられた引張片部３６であることによって、以下のような作用効果を得ることができる。
【００８５】
即ち、脱型補助部３５を引張片部３６として、引張片部３６で開口用凹部の内側面部分２０または底面部分２４の裏面側を引張ることにより、脱型によって発生する表皮材１５の伸び４１を、開口用凹部の周辺部分にほぼ限定して、製品外観面部１９に伸び４１の影響が及び難いようにすることができる。よって、上記（１）の作用効果を、より確実なものとすることができる。
【００８６】
（３）上記において、開口予定部２３が、内側面部分２０に、凹凸形状部２６を有し、引張片部３６が、内側面部分２０または底面部分２４の、凹凸形状部２６よりも奥側に設けられたことによって、以下のような作用効果を得ることができる。
【００８７】
即ち、開口予定部２３の内側面部分２０に設けられた凹凸形状部２６は、脱型時に金型３１，３２と干渉するアンダーカット部となるため、脱型時には、アンダーカット部である凹凸形状部２６が、表皮材１５の伸び４１の起点になる。これに対し、引張片部３６を、内側面部分２０または底面部分２４の、凹凸形状部２６よりも奥側に設けることによって、引張片部３６を引張った時に、表皮材１５が、凹凸形状部２６を起点として開口予定部２３の奥側へ伸びることとなるので、ほぼ確実に、伸び４１が凹凸形状部２６よりも製品外観面部１９の側へは及ばないようにすることができる。これにより、表皮材１５の凹凸形状部２６の周囲を最適に脱型することができて、上記（１）の作用効果を、より一層確実なものとすることができる。
【００８８】
（４）上記において、引張片部３６が、底面部分２４に対して、底面部分２４と共に除去可能に設けられたことによって、以下のような作用効果を得ることができる。
【００８９】
即ち、引張片部３６が、底面部分２４に設けられたことにより、内側面部分２０が直接引張られない、または、底面部分２４を介して間接的に引張られるようにすることができるので、内側面部分２０の伸び過ぎや引裂きなどの不具合を防止して、凹凸形状部２６の周辺をより最適な状態で脱型させることができる。また、引張片部３６は、脱型補助の役割終了後に、そのまま残されるようにしても良いが、底面部分２４と共に、引張片部３６を除去させるようにすることにより、既に役割を終了した引張片部３６が、その後に、周辺構造にとって邪魔にならないようにすることができる。
【００９０】
（５）上記において、引張片部３６が、表皮材１５の裏面を成形する金型３２の型開動作に同伴されて型開方向３３へ引張られることにより、自動的に脱型補助が可能な金型同伴可能片部３７とされたことによって、以下のような作用効果を得ることができる。
【００９１】
即ち、引張片部３６は、表皮材１５の裏面を成形する金型３２によって、表皮材１５の裏面側に一体に形成される。そして、引張片部３６による引張り（脱型補助）は、型開後に手作業などによって行うこともできるが、引張片部３６を金型同伴可能片部３７として、金型同伴可能片部３７が、表皮材１５の裏面を成形する金型３２の型開動作に同伴されて型開方向３３へ引張られるようにすることにより、自動的に脱型補助を行わせることができる。これによって、引張片部３６を手作業で引張って脱型補助させる手間を削減することが可能となる。なお、表皮材１５全体の脱型については、上記したように、型開後に手作業などによって行うようにすることもできるし、表皮材１５の裏面を成形する金型３２の型開動作に同伴させて行わせるようにすることもできる。
【００９２】
この際、金型同伴可能片部３７を、金型３２の型開方向３３へ延びるもの（型開方向延長形状部）とすることにより、金型同伴可能片部３７と金型３２との間に発生する摩擦力や摩擦面積などを大きくすることができるので、金型同伴可能片部３７を、型開中の金型３２によって同伴され易い構造のものとすることができる。
【００９３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【図面の簡単な説明】
【００９４】
【図１】本発明の実施例にかかる表皮材構造を裏面側から見た斜視図である。
【図２】図１の変形例を示す斜視図である。
【図３】図１の別の変形例を示す斜視図である。
【図４】図１〜図３の表皮材を成形する金型の断面図である。
【図５】図４の変形例を示す金型の断面図である。
【図６】従来例および本発明の説明に用いたインストルメントパネルの斜視図である。
【図７】図６のインストルメントパネルの部分拡大分解斜視図である。
【図８】図７の部分拡大断面図である。
【図９】図８の表皮材を成形する金型の断面図である。
【図１０】従来例にかかる表皮材構造を裏面側から見た斜視図である。
【図１１】図１０の部分拡大斜視図である。
【符号の説明】
【００９５】
２    開口部
１５  表皮材
１９  製品外観面部
２０  内側面部分
２３  開口予定部（開口用凹部）
２４  底面部分
２６  凹凸形状部
３１  金型
３２  金型
３３  型開方向
３５  脱型補助部
３６  引張片部
３７  金型同伴可能片部
【図１】
2009298294.tif 000003
【図２】
2009298294.tif 000004
【図３】
2009298294.tif 000005
【図４】
2009298294.tif 000006
【図５】
2009298294.tif 000007
【図６】
2009298294.tif 000008
【図７】
2009298294.tif 000009
【図８】
2009298294.tif 000010
【図９】
2009298294.tif 000011
【図１０】
2009298294.tif 000012
【図１１】
2009298294.tif 000013